(57)【要約】【課題】搬送作業を容易にすることができるとともに、壁パネルとストッパとの接触によるきしみ音の発生を防止することができるエレベータのかごを得る。【解決手段】巾木３，４には、ストッパ用貫通穴１０及び突出位置保持用穴１１が設けられている。ストッパ６は、ストッパ本体部１３と、ストッパ本体部１３から延び、ストッパ本体部１３に続いてストッパ用貫通穴１０に挿入される中間部１４と、中間部１４に設けられた抜け止め部１５と、抜け止め部１５に設けられた突起１６とを有している。ストッパ本体部１３は、中間部１４がストッパ用貫通穴１０に沿って通されることにより、巾木３，４から上方へ突出する突出位置へ変位される。ストッパ本体部１３は、突起１６の突出位置保持用穴１１への挿入により突出位置に保持される。これにより、巾木３，４に載せられた壁パネル５は巾木３，４からずれ落ちにくくなる。【選択図】図２
2011011833.tif 000002
【特許請求の範囲】
【請求項１】
かご床、
ストッパ用貫通穴及び突出位置保持用穴が設けられ、上記かご床の周縁部に設けられた巾木、
上記巾木上に載せられた壁パネル、及び
かご内から上記ストッパ用貫通穴に通されることにより上記巾木の外側に達するストッパ本体部と、上記ストッパ本体部に沿った方向と異なる方向へ上記ストッパ本体部の端部から延び、上記ストッパ本体部に続いて上記ストッパ用貫通穴に挿入されることにより、上記巾木から上方へ突出する突出位置へ上記ストッパ本体部を変位させる中間部と、上記中間部に設けられ、上記中間部が上記ストッパ用貫通穴から抜けることを防止する抜け止め部と、上記抜け止め部に固定され、上記ストッパ本体部が上記突出位置へ変位されることにより上記突出位置保持用穴に挿入される突起とを有し、上記巾木から突出する上記ストッパ本体部が上記壁パネルを受けることにより、上記壁パネルが上記巾木からずれ落ちることを防止するストッパ
を備えていることを特徴とするエレベータのかご。
【請求項２】
上記ストッパ本体部は、上記中間部が上記ストッパ用貫通穴内で回されることにより、上記突出位置と、上記巾木の上面よりも下方へ後退する後退位置との間で変位され、
上記巾木には、上記ストッパ本体部が上記後退位置に変位されることにより上記突起が挿入される後退位置保持用穴が設けられていることを特徴とする請求項１に記載のエレベータのかご。
【発明の詳細な説明】
【技術分野】
【０００１】
この発明は、かご床の周縁部に設けられた巾木上に壁パネルが載せられて固定されているエレベータのかごに関するものである。
【背景技術】
【０００２】
従来、かご床の周縁部に設けられた巾木上に壁パネルを載せて固定したエレベータのかごが知られている。壁パネルは、巾木上に載せられた後、ボルト等によって巾木に固定される。従って、壁パネルを巾木に固定する作業を行うときに壁パネルが横方向の力を受けると、壁パネルが巾木からずれ落ちるおそれがある。
【０００３】
従来、壁パネルが巾木からずれ落ちることを防止するために、巾木の上面から上方へ突出するストッパを巾木に固定したエレベータのかごが提案されている。壁パネルが巾木上に載せられている状態では、壁パネルがストッパに当たることにより、壁パネルが巾木に対してずれにくくなる。これにより、壁パネルが巾木からずれ落ちることを防止することができる（例えば特許文献１参照）。
【先行技術文献】
【特許文献】
【０００４】
【特許文献１】特開２００６−１０３９０６号公報
【発明の概要】
【発明が解決しようとする課題】
【０００５】
しかし、ストッパが巾木に固定されたままでストッパを巾木から取り外すことができないので、かご床の搬送時に、巾木から突出したストッパが他の機械類や器具類等に引っかかったりぶつかったりしやすくなる。従って、搬送作業をより慎重に行わなければならなくなり、かご床の搬送作業の手間が大きくなってしまう。
【０００６】
また、ストッパは、かごの組み立て時だけでなく、かごが完成した後も巾木に固定されたままなので、エレベータの運転時に壁パネルとストッパとが接触して、きしみ音が発生するおそれもある。
【０００７】
この発明は、上記のような課題を解決するためになされたものであり、搬送作業を容易にすることができるとともに、壁パネルとストッパとの接触によるきしみ音の発生を防止することができるエレベータのかごを得ることを目的とする。
【課題を解決するための手段】
【０００８】
この発明に係るエレベータのかごは、かご床、ストッパ用貫通穴及び突出位置保持用穴が設けられ、かご床の周縁部に設けられた巾木、巾木上に載せられた壁パネル、及びかご内からストッパ用貫通穴に通されることにより巾木の外側に達するストッパ本体部と、ストッパ本体部に沿った方向と異なる方向へストッパ本体部の端部から延び、ストッパ本体部に続いてストッパ用貫通穴に挿入されることにより、巾木から上方へ突出する突出位置へストッパ本体部を変位させる中間部と、中間部に設けられ、中間部がストッパ用貫通穴から抜けることを防止する抜け止め部と、抜け止め部に固定され、ストッパ本体部が突出位置へ変位されることにより突出位置保持用穴に挿入される突起とを有し、巾木から突出するストッパ本体部が壁パネルを受けることにより、壁パネルが巾木からずれ落ちることを防止するストッパを備えている。
【発明の効果】
【０００９】
この発明に係るエレベータのかごでは、かご内からストッパ用貫通穴に挿入されて突出位置に変位されるストッパ本体部と、ストッパ本体部が突出位置へ変位されるときに突出位置保持用穴に挿入される突起とを有しているので、巾木に対してストッパをかご内から容易に着脱可能にすることができるとともに、巾木に取り付けられているときのストッパを巾木から上方へ突出させた状態で保持させることができる。これにより、壁パネルを巾木に載せるときにはストッパを巾木に取り付けて壁パネルが巾木からずれ落ちることを防止することができ、かご床を搬送するときにはストッパを巾木から取り外してかご床の搬送時の注意を軽減させることができる。即ち、壁パネルの巾木に対する固定を容易にすることができるとともに、かご床２の搬送作業も容易にすることができる。また、ストッパを巾木から取り外すことができるので、エレベータの運転時での壁パネルとストッパとの接触によるきしみ音の発生を防止することもできる。
【図面の簡単な説明】
【００１０】
【図１】この発明の実施の形態１によるエレベータのかごを示す側面図である。
【図２】図１の壁パネルが巾木に載せられるときのエレベータのかごの要部を示す斜視図である。
【図３】図２のストッパのストッパ本体部をストッパ用貫通穴に差し込んでいる状態を示す斜視図である。
【図４】図３のストッパ本体部に続いて中間部がストッパ用貫通穴に挿入されている状態を示す斜視図である。
【図５】図４の後部巾木に対するストッパの取り付けが完了している状態を示す斜視図である。
【図６】この発明の実施の形態２によるエレベータのかごにおける後部巾木を示す斜視図である。
【発明を実施するための形態】
【００１１】
実施の形態１．
図１は、この発明の実施の形態１によるエレベータのかごを示す側面図である。また、図２は、図１の壁パネルが巾木に載せられるときのエレベータのかごの要部を示す斜視図である。図において、かご１は、かご床２と、かご床２の周縁部にそれぞれ固定された後部巾木３及び一対の側部巾木４（複数の巾木３，４）と、後部巾木３及び各側部巾木４のそれぞれに載せられた複数の壁パネル５と、後部巾木３及び各側部巾木４のそれぞれに着脱可能で、各壁パネル５が後部巾木３及び各側部巾木４に載せられるときに後部巾木３及び各側部巾木４に取り付けられる複数のストッパ６（図２）と、かご床２の上方に配置され、壁パネル５の上端部に固定された天井パネル（図示せず）とを有している。
【００１２】
かご１には、かご出入口（図示せず）が設けられている。かご床２には、かご出入口の下部に配置されたかご敷居７が固定されている。後部巾木３は、かご１の奥行き方向についてかご床２の後端部に配置されている。各側部巾木４は、かご出入口の間口方向（かご１の幅方向）についてかご床２の両端部にそれぞれ配置されている。後部巾木３及び各側部巾木４のそれぞれは、図２に示すように、かご床２の上面に対して垂直な垂直板部８と、垂直板部８の上端部から水平に突出する水平板部９とを有している。なお、図２では、壁パネル５が後部巾木３に載せられるときのかご１の要部が示されている。
【００１３】
各巾木３，４の垂直板部８には、複数のストッパ用貫通穴１０と、ストッパ用貫通穴１０から離して配置された複数の突出位置保持用穴１１とが設けられている。突出位置保持用穴１１のストッパ用貫通穴１０に対する位置は、あらかじめ決められた所定の位置となっている。この例では、突出位置保持用穴１１の位置がストッパ用貫通穴１０の位置に対して水平方向へ所定の距離だけ離れた位置とされている。また、この例では、ストッパ用貫通穴１０及び突出位置保持用穴１１のいずれも垂直板部８の厚さ方向へ垂直板部８を貫通している。各巾木３，４の水平板部９には、複数のボルト通し穴１２が設けられている。
【００１４】
各壁パネル５は、巾木３，４の長さ方向（水平方向）に沿って敷き詰めて並べられている。壁パネル５は、ボルト通し穴１２に通されたボルト（図示せず）によって後部巾木３又は各側部巾木４の水平板部９に固定されている。壁パネル５は、巾木３，４の水平板部９上に載せられた後に、水平板部９にボルトで固定される。
【００１５】
ストッパ６は、かご１内からストッパ用貫通穴１０及び突出位置保持用穴１１のそれぞれに通されることにより巾木３，４に取り付けられる。壁パネル５は、ストッパ６が巾木３，４に取り付けられた状態で、巾木３，４の水平板部９に載せられる。
【００１６】
ストッパ６は、棒状のストッパ本体部１３と、ストッパ本体部１３に沿った方向と異なる方向へストッパ本体部１３の端部から延びる（突出する）棒状の中間部１４と、中間部１４から突出する棒状の抜け止め部１５と、抜け止め部１５に固定された突起１６とを有している。この例では、鋼製の棒状部材を曲げてストッパ６が作製されている。
【００１７】
ストッパ本体部１３及び中間部１４のそれぞれの断面形状は、ストッパ用貫通穴１０に緩く通される断面形状（この例では、円形）とされている。突起１６の断面形状は、突出位置保持用穴１１に緩く通される断面形状（この例では、円形）とされている。
【００１８】
ストッパ本体部１３は、かご１内からストッパ用貫通穴１０に挿入可能になっている。また、ストッパ本体部１３は、ストッパ用貫通穴１０に通されることにより、各巾木３，４の外側（即ち、かご１の外側）に達するようになっている。さらに、ストッパ本体部１３の長さは、水平板部９の上面からストッパ用貫通穴１０までの寸法よりも長くなっている。
【００１９】
中間部１４は、ストッパ本体部１３に続いてストッパ用貫通穴１０に挿入されるようになっている。中間部１４がストッパ本体部１３に沿った方向と異なる方向へ突出していることから、中間部１４がストッパ本体部１３に続いてストッパ用貫通穴１０に挿入されることにより、かご１の外側に達したストッパ本体部１３が、ストッパ用貫通穴１０の貫通方向に対する傾斜角度が大きくなる方向へ変位される。
【００２０】
ストッパ本体部１３は、中間部１４のストッパ用貫通穴１０への挿入により、先端部が上方へ変位される方向へ起き上がる。これにより、ストッパ本体部１３は、各巾木３，４から上方へ突出する突出位置へ変位される。
【００２１】
この例では、中間部１４の断面が円形となっているため、中間部１４がストッパ用貫通穴１０内で回転可能になっている。ストッパ本体部１３は、中間部１４がストッパ用貫通穴１０内で回されることにより、突出位置と、各巾木３，４の上面よりも下方へ後退する後退位置との間で変位される。
【００２２】
また、この例では、中間部１４は、ストッパ本体部１３に沿った方向に対して垂直な方向へストッパ本体部１３から突出している。従って、かご１の外側に達したストッパ本体部１３は、中間部１４がストッパ用貫通穴１０に挿入されることにより、ストッパ用貫通穴１０の貫通方向に対して垂直となる方向へ変位される。
【００２３】
抜け止め部１５は、垂直板部８に当たることにより、中間部１４がストッパ用貫通穴１０から抜けることを防止している。この例では、抜け止め部１５はストッパ本体部１３及び中間部１４を含む平面に対して垂直な棒状部となっている。
【００２４】
中間部１４と突起１６との間隔は、ストッパ用貫通穴１０と突出位置保持用穴１１との間隔と同一となっている。従って、中間部１４がストッパ用貫通穴１０に挿入された状態で、突起１６が突出位置保持用穴１１に挿入可能になっている。中間部１４がストッパ用貫通穴１０に挿入されるとともに、突起１６が突出位置保持用穴１１に挿入されることにより、ストッパ本体部１３が突出位置に保持される。なお、この例では、突起１６が中間部１４と平行になっている。
【００２５】
次に、壁パネル５を後部巾木３に固定するときの手順について説明する。まず、図２に示すように、複数のストッパ６を後部巾木３に取り付けることにより、ストッパ本体部１３を突出位置に保持させておく。この後、各壁パネル５を後部巾木３の水平板部９上に載せる。このとき、壁パネル５が後部巾木３の外側への力を受けたとしても、ストッパ６が壁パネル５を受けることにより、壁パネル５が後部巾木３の外側へずれ落ちることが防止される。
【００２６】
この後、水平板部９の下方から各ボルト通し穴１２にボルトを差し込んで壁パネル５を後部巾木３に固定する。この後、ストッパ６を後部巾木３から取り外す。これにより、後部巾木３に対する壁パネル５の固定が完了する。なお、各側部巾木４に対する壁パネル５の固定も、後部巾木３の場合と同様に行う。
【００２７】
次に、ストッパ６を後部巾木３に取り付けるときの手順について説明する。図３〜図５は、図２のストッパ６を後部巾木３に取り付けるときの手順を説明するための斜視図である。図３は図２のストッパ６のストッパ本体部１３をストッパ用貫通穴１０に差し込んでいる状態を示す斜視図、図４は図３のストッパ本体部１３に続いて中間部１４がストッパ用貫通穴１０に挿入されている状態を示す斜視図、図５は図４の後部巾木３に対するストッパ６の取り付けが完了している状態を示す斜視図である。
【００２８】
ストッパ６を後部巾木３に取り付けるときには、まず、図３に示すように、かご１内からストッパ本体部１３をストッパ用貫通穴１０に差し込む。これにより、ストッパ本体部１３は、後部巾木３の外側に達する。
【００２９】
この後、ストッパ６のかご１内に存在する部分を持って、図４に示すように、ストッパ本体部１３を起き上がらせながら、ストッパ用貫通穴１０への挿入部分をストッパ本体部１３から中間部１４に移行させる。このとき、突出位置保持用穴１１の位置に突起１６を合わせる。
【００３０】
この後、中間部１４をストッパ用貫通穴１０にさらに押し込みながら、突起１６を突出位置保持用穴１１に差し込む。これにより、図５に示すように、ストッパ本体部１３が突出位置で保持され、後部巾木３に対するストッパ６の取り付けが完了する。
【００３１】
ストッパ６を後部巾木３から取り外すときには、上記と逆の手順を行う。これにより、ストッパ６が後部巾木３から取り外される。
【００３２】
なお、各側部巾木４に対するストッパ６の取り付け及び取り外しは、後部巾木３に対するストッパ６の取り付け及び取り外しと同様の手順で行われる。
【００３３】
このようなエレベータのかごでは、かご１内からストッパ用貫通穴１０に挿入されて突出位置に変位されるストッパ本体部１３と、ストッパ本体部１３が突出位置へ変位されるときに突出位置保持用穴１１に挿入される突起１６とを有しているので、各巾木３，４に対してストッパ６をかご１内から容易に着脱可能にすることができるとともに、各巾木３，４に取り付けられているときのストッパ６を各巾木３，４から上方へ突出させた状態で保持させることができる。これにより、壁パネル５を各巾木３，４に載せるときにはストッパ６を各巾木３，４に取り付けて壁パネル５が各巾木３，４からずれ落ちることを防止することができ、かご床２を搬送するときにはストッパ６を各巾木３，４から取り外してかご床２の搬送時の注意を軽減させることができる。即ち、壁パネル５の各巾木３，４に対する固定を容易にすることができるとともに、かご床２の搬送作業も容易にすることができる。また、ストッパ６を各巾木３，４から取り外すことができるので、エレベータの運転時での壁パネル５とストッパ６との接触によるきしみ音の発生を防止することもできる。
【００３４】
なお、上記の例では、突出位置保持用穴１１が垂直板部８を貫通しているが、突起１６が挿入される深さを持っていればよいので、突出位置保持用穴１１は垂直板部８を貫通していなくてもよい。
【００３５】
実施の形態２．
図６は、この発明の実施の形態２によるエレベータのかごにおける後部巾木を示す斜視図である。図において、後部巾木３には、ストッパ用貫通穴１０及び突出位置保持用穴１１の他に、後退位置保持用穴２１が設けられている。
【００３６】
後退位置保持用穴２１のストッパ用貫通穴１０に対する位置は、あらかじめ決められた所定の位置となっている。ストッパ用貫通穴１０に対する後退位置保持用穴２１の距離は、ストッパ用貫通穴１０に対する突出位置保持用穴１１の距離と同一となっている。この例では、後退位置保持用穴２１はストッパ用貫通穴１０の下方に位置している。また、この例では、後退位置保持用穴２１は垂直板部８を貫通している。後退位置保持用穴２１には、図６に示すように、後部巾木３の上面よりも下方の後退位置にストッパ本体部１３が変位されることにより突起１６が挿入される。
【００３７】
従って、突起１６は、ストッパ本体部１３が突出位置にあるときに突出位置保持用穴１１に挿入され、ストッパ本体部１３が後退位置にあるときに後退位置保持用穴２１に挿入される。ストッパ本体部１３は、突起１６が突出位置保持用穴１１に挿入されることにより突出位置で保持され、突起１６が後退位置保持用穴２１に挿入されることにより後退位置で保持される。なお、各側部巾木４にも、後部巾木３と同様の後退位置保持用穴が設けられている。他の構成は実施の形態１と同様である。
【００３８】
かご床２を搬送するときには、突起１６を後退位置保持用穴２１に挿入してストッパ本体部１３の位置を後退位置に保持しておく（図６）。
【００３９】
壁パネル５を巾木３，４に載せるときには、突起１６を後退位置保持用穴２１から引き抜いて、突起１６が突出位置保持用穴１１の位置に達するまで、中間部１４を中心にストッパ６を回し、突起１６を突出位置保持用穴１１に差し込んで、ストッパ本体部１３の位置を突出位置に保持する。
【００４０】
このようなエレベータのかごでは、ストッパ本体部１３が後退位置に変位されることにより突起１６が挿入される後退位置保持用穴２１が後部巾木３及び各側部巾木４のそれぞれに設けられているので、巾木３，４から突出させない状態でストッパ６を巾木３，４に保持することができる。これにより、ストッパ６を取り付けた状態でかご床２を搬送することができ、かご床２とストッパ６とを別個に搬送する手間をなくすことができる。
【００４１】
なお、上記の例では、後退位置保持用穴２１が垂直板部８を貫通しているが、突起１６が挿入される深さを持っていればよいので、後退位置保持用穴２１は垂直板部８を貫通していなくてもよい。
【符号の説明】
【００４２】
１  かご、２  かご床、３  後部巾木（巾木）、４  側部巾木（巾木）、５  壁パネル、６  ストッパ、１０  ストッパ用貫通穴、１１  突出位置保持用穴、１３  ストッパ本体部、１４  中間部、１５  抜け止め部、１６  突起、２１  後退位置保持用穴。
【図１】
2011011833.tif 000003
【図２】
2011011833.tif 000004
【図３】
2011011833.tif 000005
【図４】
2011011833.tif 000006
【図５】
2011011833.tif 000007
【図６】
2011011833.tif 000008